(57)【特許請求の範囲】
【請求項１】
パチンコ玉を１個ずつ通過させる玉通路と、該玉通路を通過するパチンコ玉を１個ずつ受け入れ可能な玉受け凹部が全周に亘って複数個連続形成されると共に前記玉受け凹部でのパチンコ玉の受け入れ及びその解除によって正方向に回転する計数歯車と、１個のパチンコ玉が前記玉通路を通過して前記玉受け凹部を１個ずつ回転させる毎に前記計数歯車を前記玉受け凹部１個分の回転角度で正方向に回転させて空回りを防止する送りカムと、前記玉受け凹部の所定個数分に対応する回転角度で前記計数歯車が回転したことを検出する回転検出手段と、該回転検出手段の検出信号を外部に出力する信号出力部と、を備えた玉計数装置において、
前記送りカムは、支軸を中心として揺動自在な天秤状をなし、前記支軸の一側に１個のパチンコ玉が前記玉通路を通過する毎に前記玉受け凹部と係合して前記玉受け凹部を１個ずつ順送りする歯止め部が設けられ、前記支軸の他側に前記玉通路でのパチンコ玉の通過がない停止状態において前記複数個の玉受け凹部のうちの１つの玉受け凹部内に入り込んで前記計数歯車の回転位置を保持する錘部が設けられ、
前記計数歯車は、１個のパチンコ玉が前記玉通路を通過して前記玉受け凹部が１個ずつ回転する毎に、前記錘部が入り込んだ玉受け凹部を構成する後方の凸状部が前記錘部を押し上げ、
前記歯止め部の先端部分は、前記停止状態で且つ前記錘部が入り込んだ玉受け凹部を構成する後方の凸状部による前記錘部の押し上げ以外で前記送りカムが揺動して当該歯止め部が既に係合した前記玉受け凹部内に再度入り込んだ場合、前記計数歯車の逆方向への回転量を抑えるように当該玉受け凹部の円弧状内壁面に接触した直後に当該円弧状内壁面のほぼ中央の最下端部分に当接するような寸法を有する係合凸部として形成され、
当該係合凸部が当該玉受け凹部の円弧状内壁面の最下端部分と当接して前記計数歯車の逆方向の回転量を抑えることにより、前記錘部が、当該錘部が入り込んだ玉受け凹部を構成する前方の凸状部を乗り越えることなく揺動前に入り込んでいた玉受け凹部内に戻るようしたことを特徴とする玉計数装置。
【請求項２】
前記回転検出手段は、前記計数歯車が３６０度回転する毎にこれを検出することを特徴とする請求項１記載の玉計数装置。
【発明の詳細な説明】
【技術分野】
【０００１】
本発明は、パチンコ玉を１個ずつ通過させる玉通路と、該玉通路を通過するパチンコ玉を１個ずつ受け入れ可能な玉受け凹部が全周に亘って複数個連続形成されると共に前記玉受け凹部でのパチンコ玉の受け入れ及びその解除によって正方向に回転する計数歯車と、１個のパチンコ玉が前記玉通路を通過して前記玉受け凹部を１個ずつ回転させる毎に前記計数歯車を前記玉受け凹部１個分の回転角度で正方向に回転させて空回りを防止する送りカムと、前記玉受け凹部の所定個数分に対応する回転角度で前記計数歯車が回転したことを検出する回転検出手段と、該回転検出手段の検出信号を外部に出力する信号出力部と、を備えた玉計数装置に関するものである。
【背景技術】
【０００２】
従来、一般に、複数の遊技機（例えば、パチンコ機）を列設する遊技島には、当該遊技島の補給樋から供給される賞球をパチンコ機の裏面に設置された賞球タンクに補給するための賞球補給装置が設けられている。賞球補給装置は、各パチンコ機毎に対応して遊技島の横枠に取り付けられ、補給樋から供給されるパチンコ玉は、各パチンコ機毎に対応して設けられた分岐装置から球供給ホースを介して賞球補給装置に送り込まれるようになっている。また、このような賞球補給装置又は分岐装置には、特許文献１〜３に開示されているような玉計数装置が設けられ、該玉計数装置によってパチンコ機裏面の賞球タンクに補給するパチンコ玉の個数を計数するようになっている。なお、このような玉計数装置は、遊技島の裏面下部に取り付けられて各パチンコ機から放出される使用済のパチンコ玉を受け入れるアウト玉タンクにも使用されるものである。
【先行技術文献】
【特許文献】
【０００３】
【特許文献１】実開平２−７１５８１号公報（図３）
【特許文献２】実開平２−８４６８２号公報（図１）
【特許文献３】特開２００４−２２３１２９号公報（図５）
【発明の概要】
【発明が解決しようとする課題】
【０００４】
ところで、上記特許文献１〜３の玉計数装置は、図９（Ａ）に示すように、パチンコ玉１個の受け入れが可能な玉受け凹部１０１が全周に亘って複数個連続形成された計数歯車１００を備えている。そして、玉計数装置でのパチンコ玉１個の通過に伴って玉受け凹部１０１を１個分回転させて、計数歯車１００が１回転する毎にパルス状の計数信号をホールコンピュータに出力することで、分岐装置からパチンコ機に供給したパチンコ玉の個数をホールコンピュータで管理するようになっている。また、このような玉計数装置には、計数歯車１００の空回りを防止するための送りカム１１０が設けられている。送りカム１１０は、支軸１１１を中心として揺動自在な天秤状をなし、該支軸１１１の一側部分にＬ字状に屈曲形成された歯止め部１１２が設けられ、支軸１１１の他側部分に歯止め部１１２を既に歯止め部１１２と係合した玉受け凹部１０１から退避した位置に付勢するように支軸１１１の歯止め部１１２の全体に比べて重量が大きく設定された錘部１１３が設けられている。そして、図９（Ｂ）〜（Ｄ）に示すようなパチンコ玉の通過に伴う計数歯車１００の矢印方向（以下、これを反時計方向ともいう）の回転において、１個のパチンコ玉が通過する毎に歯止め部１１２が玉受け凹部１０１と係合して玉受け凹部１０１を１個ずつ順送りすることで、計数歯車１００の空回りを防止するようになっている。なお、錘部１１３は、パチンコ玉の通過がない状態（図９（Ａ）に示す状態）で、１つの玉受け凹部１０１内に入り込むことにより、パチンコ玉が通過するまで計数歯車１００の回転位置を保持する。以下、このような状態を停止状態ともいう。
送りカム１１０の具体的な動きとしては、パチンコ玉の通過に伴う計数歯車１００の反時計方向への回転によって、複数個の玉受け凹部１０１のうち停止状態で錘部１１３が入り込む玉受け凹部１０１を構成する後方の凸状部Ｃが錘部１１３の後方下端と当接しながら錘部１１３を押し上げて送りカム１１０を揺動する（図９（Ｂ）参照）。これに伴って、停止状態で錘部１１３が入り込んだ玉受け凹部１０１よりも所定個数（図示の場合には、２つ）反時計方向前方の玉受け凹部１０１を構成する後方の凸状部Ａの斜め上方に位置していた歯止め部１１２の鉤爪状の先端（以下、これを係合凸部１１２ａという）が押し下げられるものの計数歯車１００の回転により凸状部Ａが反時計方向に移動しているため、係合凸部１１２ａが凸状部Ａの時計方向側に隣接する玉受け凹部１０１内に入り込む（図９（Ｃ）参照）。そして、その玉受け凹部１０１内に入り込んだ係合凸部１１２ａが当該玉受け凹部１０１の円弧状内壁面と当接することで、送りカム１１０の揺動を規制し、錘部１１３が凸状部Ｃを乗り越えて該凸状部Ｃの時計方向側に隣接する次の玉受け凹部１０１内に入り込む（図９（Ｄ）参照）。これにより、送りカム１１０は、玉受け凹部１０１を１個順送りした状態で、再度計数歯車１００の回転位置を保持する。
しかしながら、上記した玉計数装置の構成では、計数歯車１００の停止状態において外乱等によって振動が生じた場合、パンチコ玉の通過に伴う回転方向とは逆方向に計数歯車１００が回転してしまい、玉計数装置によるパチンコ玉の計数が正確に行えないという問題があった。具体的には、図１０（Ａ）に示すように、停止状態で玉計数装置に振動が加わると、図１０（Ｂ）に示すように、玉受け凹部１０１内に入り込んだ錘部１１３が振動によって跳ね上がり、計数歯車１００の保持状態が解除される。そして、錘部１１３の跳ね上がりが強くなると、図１０（Ｃ）に示すように、支軸１１１を中心とした送りカム１１０の歯止め部１１２側（図１０中における反時計方向）への回転によって、パチンコ玉の通過に伴って既に送り込みを終了した玉受け凹部１０１（凸状部Ｅ，Ａ間の玉受け凹部１０１）内に再度、係合凸部１１２ａが入り込んでしまうと同時に、係合凸部１１２ａと当該玉受け凹部１０１の円弧状内壁面との当接により計数歯車１００を時計方向に回転させてしまう。このとき、係合凸部１１２ａが玉受け凹部１０１の最下端部分と当接する位置まで送りカム１１０が揺動すると、図１０（Ｄ）に示すように、計数歯車１００の時計方向の回転量が多くなって錘部１１３が、停止状態で錘部１１３の反時計方向側に隣接する凸状部Ｂを乗り越えてしまう。そして、その状態で送りカム１１０が元の状態に戻ると、図１０（Ｅ）に示すように、錘部１１３が凸状部Ａ，Ｂ間の玉受け凹部１０１内に入り込んでしまうことで、玉受け凹部１０１が１個分逆回転（図１０中における時計方向への回転）した状態で計数歯車１００の回転位置が保持されてしまう。従って、玉計数装置に振動が加わるような場合では、少なくとも玉受け凹部１０１の１個分計数歯車１００が逆回転してしまい、結果として、玉計数装置によるパチンコ玉の計数が正確に行えなくなっていた。
本発明は、上記した事情に鑑みなされたもので、その目的とするところは、外乱等の振動によって生じるパチンコ玉の誤計数を防止することができる玉計数装置を提供することにある。
【課題を解決するための手段】
【０００５】
上記した目的を達成するために、請求項１の発明においては、パチンコ玉を１個ずつ通過させる玉通路と、該玉通路を通過するパチンコ玉を１個ずつ受け入れ可能な玉受け凹部が全周に亘って複数個連続形成されると共に前記玉受け凹部でのパチンコ玉の受け入れ及びその解除によって正方向に回転する計数歯車と、１個のパチンコ玉が前記玉通路を通過して前記玉受け凹部を１個ずつ回転させる毎に前記計数歯車を前記玉受け凹部１個分の回転角度で正方向に回転させて空回りを防止する送りカムと、前記玉受け凹部の所定個数分に対応する回転角度で前記計数歯車が回転したことを検出する回転検出手段と、該回転検出手段の検出信号を外部に出力する信号出力部と、を備えた玉計数装置において、前記送りカムは、支軸を中心として揺動自在な天秤状をなし、前記支軸の一側に１個のパチンコ玉が前記玉通路を通過する毎に前記玉受け凹部と係合して前記玉受け凹部を１個ずつ順送りする歯止め部が設けられ、前記支軸の他側に前記玉通路でのパチンコ玉の通過がない停止状態において前記複数個の玉受け凹部のうちの１つの玉受け凹部内に入り込んで前記計数歯車の回転位置を保持する錘部が設けられ、前記計数歯車は、１個のパチンコ玉が前記玉通路を通過して前記玉受け凹部が１個ずつ回転する毎に、前記錘部が入り込んだ玉受け凹部を構成する後方の凸状部が前記錘部を押し上げ、前記歯止め部の先端部分は、前記停止状態で且つ前記錘部が入り込んだ玉受け凹部を構成する後方の凸状部による前記錘部の押し上げ以外で前記送りカムが揺動して当該歯止め部が既に係合した前記玉受け凹部内に再度入り込んだ場合、前記計数歯車の逆方向への回転量を抑えるように当該玉受け凹部の円弧状内壁面に接触した直後に当該円弧状内壁面のほぼ中央の最下端部分に当接するような寸法を有する係合凸部として形成され、当該係合凸部が当該玉受け凹部の円弧状内壁面の最下端部分と当接して前記計数歯車の逆方向の回転量を抑えることにより、前記錘部が、当該錘部が入り込んだ玉受け凹部を構成する前方の凸状部を乗り越えることなく揺動前に入り込んでいた玉受け凹部内に戻るようしたことを特徴とする。なお、ここでいう「当該玉受け凹部の円弧状内壁面に接触した直後に」の直後とは、「すぐあとに」という意味の他に、係合凸部が玉受け凹部の円弧状内壁面の最下端部分に接触するまでの距離が短くなるように設計してあるという意味があり、これにより計数歯車の逆方向の回転量を抑えることができる。また、係合凸部の寸法としては、「円弧状内壁面のほぼ中央の最下端部分」に当接するものに限定せず、最下端部分の中央から前後方向に若干ずれた位置に当接するものであってもよい。
【０００６】
また、請求項２の発明においては、前記回転検出手段は、前記計数歯車が３６０度回転する毎にこれを検出することを特徴とする。
【発明の効果】
【０００７】
請求項１の発明においては、計数歯車の凸状部による錘部の押し上げ以外で送りカムが揺動するような場合、例えば、玉受け凹部内に入り込んだ錘部が振動によって跳ね上がり、計数歯車の保持状態が解除され、送りカムの歯止め部が既に当該歯止め部と係合した玉受け凹部内に再度入り込むような場合、歯止め部の先端部分に設けられた係合凸部は、前記計数歯車の逆方向への回転量を抑えるように当該玉受け凹部の円弧状内壁面に接触した直後に当該円弧状内壁面のほぼ中央の最下端部分に当接するような寸法を有し、錘部が、揺動前に入り込んでいた玉受け凹部間の前方の凸状部を乗り越えることを防止する。これにより、計数歯車の逆回転によって錘部が１個前の玉受け凹部内に入り込むことを回避でき、送りカムを揺動前の計数歯車の回転位置を保持した状態に戻すことができるので、結果として、外乱等の振動によって生じるパチンコ玉の誤計数を防止することができる。
【０００８】
また、請求項２の発明においては、計数歯車が３６０度回転する毎に回転検出手段がこれを検出する。即ち、計数歯車が１回転して計数歯車の全周に亘って連続形成された玉受け凹部の個数分、パチンコ玉が玉通路を通過すると、これを回転検出手段が検出し、当該回転検出手段の検出信号を信号出力部が外部に出力する。これにより、計数歯車の微妙な回転角度を厳密に検出する等、回転検出手段を複雑な構成とする必要がなく、且つ正確にパチンコ玉を計数することができる。
【図面の簡単な説明】
【０００９】
【図１】遊技島の内部構造の概略を示す正面図である。
【図２】補給樋と賞球補給装置とパチンコ機との関係を示す背面図である。
【図３】玉計数装置の内部構造の概略を示す正面図である。
【図４】玉計数装置を構成する計数歯車及び送りカムの動きを示す正面図である。
【図５】玉計数装置を構成する計数歯車及び送りカムの動きを示す正面図である。
【図６】玉計数装置を構成する計数歯車及び送りカムの動きを示す正面図である。
【図７】同図（Ａ）〜（Ｄ）は玉計数装置における計数歯車の回転動作を示す部分拡大正面図である。
【図８】同図（Ａ）〜（Ｅ）は振動により送りカムが揺動した場合の計数歯車の回転動作を示す部分拡大正面図である。
【図９】同図（Ａ）〜（Ｄ）は従来の玉計数装置における計数歯車の正常な回転動作を示す部分拡大正面図である。
【図１０】同図（Ａ）〜（Ｅ）は従来の玉計数装置における計数歯車の異常な回転動作を示す部分拡大正面図である。
【発明を実施するための形態】
【００１０】
以下、図面を参照して本発明の実施形態について説明する。まず、図１及び図２を参照して実施形態に係る遊技島１について説明する。図１は、遊技島１の内部構造の概略を示す正面図である。図２は、補給樋２と賞球補給装置２０とパチンコ機８との関係を示す背面図である。なお、本実施形態における遊技島１に設置される遊技機としてパチンコ機８が設置された場合で説明するが、パチンコ玉を使用して遊技を行う遊技機であれば、どのような遊技機が設置されるものであってもよい。
【００１１】
図１において、遊技島１は、周知のようにそのほぼ中央側面に複数のパチンコ機８と玉貸機（図示しない）とを交互に列設するように直方体状に枠組み形成され、パチンコ機８の列設位置の下方に外側に突出するカウンター台９を挟んで腰板１０が設けられている。
【００１２】
また、遊技島１の内部は、その下方部に各パチンコ機８から排出されるパチンコ玉を受け入れ且つ当該遊技島１で営業中に必要とされ得る玉量を貯留する貯留タンク１２が設けられ、そのほぼ中央に貯留タンク１２に貯留された玉を導き入れて上部に揚送する玉揚送装置１３が設けられている。本実施形態における玉揚送装置１３は、モータによって回転する革ベルトの旋回運動によって玉を揚送するものであり、その揚送中に革ベルトに対面して設けられる研磨布と玉とが接触して玉を研磨しながら上部に揚送するものである。玉揚送装置１３に揚送された玉は、一旦上部タンク１４に貯留され、その上部タンク１４の上方側部から遊技島１の端部に向かって傾斜状に配置される補給樋２に供給される。
【００１３】
補給樋２には、分岐装置３が設けられ、その分岐装置３によって分岐された玉が分岐装置３に接続されるスプリングホース７と賞球補給装置２０とを介して各パチンコ機８の背面上部に設けられる賞球タンク１１に供給される。また、各パチンコ機８で使用されたパチンコ玉は、遊技島１の裏面下部に取り付けられるアウト玉タンク１５に放出された後、回収樋１６によって回収され、さらに貯留タンク１２に貯留され、その後、玉揚送装置１３によって上部に研磨揚送される。つまり、パチンコ玉は、遊技島１の内部を循環して使用されている。
【００１４】
図２において、補給樋２を流下する賞球は、分岐装置３によって分岐される。この分岐装置３は、賞球を一列に整列させながら取込むものであり、その通路の途中に玉ならし４が垂下され、更に、故障を修理するとき等に賞球の流下を停止させることが可能なストッパー５が設けられている。分岐装置３の下方には、支持台によって本実施形態の要部をなす玉計数装置６が着脱自在に取り付けられており、該玉計数装置６によって分岐装置３から賞球補給装置２０を介してパチンコ機８に供給されるパチンコ玉の個数を計数するようになっている。なお、玉計数装置６の詳細な構成については後で詳述する。また、このような玉計数装置６は、前述したアウト玉タンク１５にも使用されているものである。
【００１５】
ところで、玉計数装置６を支持する支持台には、その前端上部に分岐装置３から流下してきた賞球が誘導される出口が形成され、その前端下部にスプリングホース７の上端が固定されている。また、スプリングホース７の下端は、賞球補給装置２０に接続されている。これにより、賞球が分岐装置３から玉計数装置６に流入し、玉計数装置６で計数された賞球がスプリングホース７に排出されて賞球補給装置２０に供給される。
【００１６】
賞球補給装置２０は、賞球を一列に整列して流下させる整列通路２１が固着された支持台２２と、該支持台２２に回動可能に軸支され、且つ整列通路２１と連通すると共にその先端が賞球タンク１１内に臨む補給筒２３と作動腕２４とが二又状に形成された回動補給部材２５と、該回動補給部材２５の回動に従動して整列通路２１から補給筒２３への賞球の流下を制御する球止め部材２６と、図示しないホールコンピュータから導出される打止め信号に基づいてストッパー２７を整列通路２１内に進出移動させることで賞球補給装置２０から賞球タンク１１への賞球の流れを停止させる打止めソレノイド２８と、を備えている。
【００１７】
次に、本実施形態の要部を構成する玉計数装置６について、図３乃至図８を参照して説明する。図３は、玉計数装置６の内部構造の概略を示す正面図である。図４乃至図６は、それぞれ玉計数装置６を構成する計数歯車３２及び送りカム３５の動きを示す正面図である。図７（Ａ）〜（Ｄ）は、玉計数装置６における計数歯車３２の回転動作を示す部分拡大正面図である。図８（Ａ）〜（Ｅ）は、振動により送りカム３５が揺動した場合の計数歯車３２の回転動作を示す部分拡大正面図である。
【００１８】
玉計数装置６は、図３に示すように、若干横長方形状のケース体３０を備えている。ケース体３０の一側には、当該ケース体３０内を上下方向に貫通して設けられてパチンコ玉を１個ずつ通過させる玉通路３１が形成されており、補給樋２からのパチンコ玉が玉通路３１内を上方から下方へ通過してスプリングホース７へ送り込まれるようになっている。また、ケース体３０のほぼ中央部分には、計数歯車３２が回転軸３２ａを中心として回転自在に軸支されている。計数歯車３２の外周には、パチンコ玉１個の受け入れを可能にする複数（実施形態中では、１０個）の玉受け凹部３３が全周に亘って連続形成されており、各玉受け凹部３３間を区画する凸状部３４は、玉通路３１内に臨んで配置されている。そして、玉通路３１を通過するパチンコ玉は、１個ずつ玉受け凹部３３に受け入れられた後に外部（スプリングホース７側）に排出されることにより、計数歯車３２を図３に示す反時計方向に回転させるようになっている。なお、ケース体３０内における計数歯車３２の上方部分には、計数歯車３２に隣接して送りカム３５が設けられている。そして、１個のパチンコ玉が玉通路３１を通過して玉受け凹部３３を１個ずつ回転させる毎に、送りカム３５が、計数歯車３２を玉受け凹部３３の１個分の回転角度で回転させて空回りを防止するようになっている。送りカム３５の詳細な構成については後述する。また、以下の説明では、計数歯車３２等のケース体３０内で回転自在に設けられた構成部材において、一方の回転方向及び他方の回転方向を、便宜的に、図３を正面から見た状態での時計方向及び反時計方向として統一して記載する。
【００１９】
計数歯車３２を回転自在に軸支する回転軸３２ａには、回転検出手段としての回動アーム３６の基端部が回動自在に支持されており、該回動アーム３６の先端部には、磁石３７が取り付けられている。これにより、回動アーム３６は、磁石３７の重量によって重心が回動中心（回転軸３２ａ）から偏位した振り子のように構成されている。また、ケース体３０の内壁面における所定部位には、回動アーム３６の軸心（回転軸３２ａ）を中心とした磁石３７の回転軌跡に対向して磁石３８と信号出力部としてのリードスイッチ３９とが設けられている。磁石３８は、回転軸３２ａに対して垂直方向から時計方向に若干回転した角度の位置に配置されている。一方、リードスイッチ３９は、回転軸３２ａに対して垂直方向から反時計方向に若干回転した角度の位置に配置されている。
【００２０】
回動アーム３６側の磁石３７とケース体３０側の磁石３８とは、それぞれＳ極とＮ極との関係にあり、回動アーム３６側の磁石３７がケース体３０側の磁石３８上を通過する際に、両者が引き合う状態となって回動アーム３６が所定の停止位置に保持されるようになっている。この所定の停止位置とは、ケース体３０側の磁石３８の配置位置、即ち、回転軸３２ａに対して垂直方向から時計方向に若干回転した角度の位置である。そして、リードスイッチ３９は、回動アーム３６側の磁石３７が前方を通過するとパルス状の計数信号を出力する。なお、リードスイッチ３９は、ホールコンピュータに接続されており、当該ホールコンピュータは、リードスイッチ３９から入力した計数信号に基づいて、分岐装置３からパチンコ機８に供給したパチンコ玉の個数を管理するようになっている。
【００２１】
また、回動アーム３６の先端（磁石３７が取り付けられた一端）には、係合突起４０が突設されており、これに対応して、計数歯車３２の外周側壁面には、係合突起４０と係合する係合突起４１が突設されている。そして、計数歯車３２の係合突起４１は、計数歯車３２が１回転する間に回動アーム３６の係合突起４０を反時計方向に押し込むことで、各磁石３７，３８間の磁力によって所定の停止位置に保持された回動アーム３６を回転させるようになっている。その後、回動アーム３６は、所定の停止位置での保持状態から脱出して磁石３７の自重により回転する。
【００２２】
次に、玉計数装置６によるパチンコ玉の計数動作について説明すると、分岐装置３から賞球補給装置２０を介してパチンコ機８にパチンコ玉を供給する場合、分岐装置３から排出されるパチンコ玉は、玉計数装置６の玉通路３１を通過する。これにより、パチンコ玉の通過に伴って計数歯車３２が回転するようになり、所定数のパチンコ玉（実施形態中では、計数歯車３２外周に設けられた玉受け凹部３３の個数である１０個と対応する１０個のパチンコ玉）が通過すると、計数歯車３２が１回転する。ここで、玉計数装置６の回動アーム３６は、所定の停止位置に磁石３７，３８間の磁力によって保持されており、上述したように計数歯車３２が１回転すると、計数歯車３２に押されて回動アーム３６が所定の停止位置での保持状態から脱出して磁石３７の自重で回転するようになる。
【００２３】
そして、回動アーム３６の回転に伴って回動アーム３６側の磁石３７がリードスイッチ３９上を通過するようになるので、リードスイッチ３９が短時間だけＯＮして、リードスイッチ３９からパルス状の計数信号が出力される。このとき、回動アーム３６の回転に伴って回動アーム３６側の磁石３７がケース体３０側の磁石３８上を通過しようとしたところで、両者が再び引き合うようになるので、回動アーム３６は、再び所定の停止位置に保持されるようになる。これにより、玉計数装置６は、１０個のパチンコ玉が玉通路３１を通過する毎に、計数歯車３２及び回動アーム３６が１回転（３６０度回転）して計数信号が１パルス出力されるようになる。つまり、計数歯車３２の玉受け凹部３３に対応するパチンコ玉が通過する毎に１パルスが発せられるので、実際に補給されたパチンコ玉は、「玉受け凹部３３の数（実施形態中では１０個）×パルス数」によって算出される。
【００２４】
次に、計数歯車３２の上方部分に設けられる送りカム３５について説明する。送りカム３５は、支軸４２を中心として揺動自在な天秤状をなし、図３を正面から見た状態での支軸４２の左側部分には、Ｌ字状に屈曲形成された歯止め部４３が設けられる一方、支軸４２の右側部分には、支軸４２の左側部分全体（歯止め部４３）に比べて重量が大きく設定された錘部４４が設けられている。Ｌ字状をなす歯止め部４３の先端は、図４及び図５に示すように、玉通路３１でのパチンコ玉の通過に伴う計数歯車３２の回転において、１個のパチンコ玉が玉通路３１を通過する毎に玉受け凹部３３と係合して玉受け凹部３３を１個ずつ順送りすることで、計数歯車３２の空回りを防止する係合凸部４５として形成されている。なお、ここでいう係合凸部４５と玉受け凹部３３との係合とは、計数歯車３２の回転に伴って係合凸部４５が玉受け凹部３３の内壁部分と当接することをいう。
【００２５】
錘部４４の下端には、玉通路３１でのパチンコ玉の通過に伴う計数歯車３２の回転時に、各玉受け凹部３３間の凸状部３４と係合して当該錘部４４を押し上げる、言い換えれば、支軸４２を中心として送りカム３５を反時計方向に回転させる係合辺部４６が設けられている。また、係合辺部４６の左端には、当該係合辺部４６と凸状部３４との係合を解除する係脱凹部４７が設けられている。そして、錘部４４は、図６に示すように、玉通路３１でのパチンコ玉の通過がない状態、言い換えれば、係合辺部４６と凸状部３４との係合を解除した状態で、玉受け凹部３３内に入り込むことにより、パチンコ玉が玉通路３１を通過するまで計数歯車３２の回転位置を保持するようになっている。
【００２６】
ところで、上記した送りカム３５の歯止め部４３に設けられる係合凸部４５は、図７（Ａ）〜（Ｄ）に示すように、従来の送りカムの係合凸部（同図中に破線で示す）に比べて支軸４２からの位置が遠く且つ玉受け凹部３３寄りに長く形成された寸法を有している。そして、従来の送りカムの係合凸部に比べて支軸４２からの位置が遠く且つ玉受け凹部３３寄りに長く形成されている係合凸部４５であっても、パチンコ玉の通過に伴う計数歯車３２の反時計方向への回転によって、複数個の玉受け凹部３３のうち停止状態で錘部４４が入り込む玉受け凹部３３を構成する後方の凸状部Ｃ（図７参照、以下同じ）が錘部４４の後方下端と当接しながら錘部４４の係合辺部４６を押し上げて送りカム３５を支軸４２を中心として揺動する（図７（Ａ），（Ｂ）参照）。これに伴って、停止状態で錘部４４が入り込んだ玉受け凹部３３よりも所定個数（図７に示す場合には、２個）反時計方向前方の玉受け凹部３３（既に一度歯止め部４３が係合した玉受け凹部３３）を構成する後方の凸状部Ａの斜め上方に位置していた係合凸部４５が押し下げられるものの計数歯車３２の回転により当該凸状部Ａが反時計方向に既に移動しているため、係合凸部４５が当該凸状部Ａの時計方向側に隣接する玉受け凹部３３内に入り込む（図７（Ｃ）参照）。そして、その玉受け凹部３３内に入り込んだ係合凸部４５の先端が当該玉受け凹部３３の円弧状内壁面と当接することで、送りカム３５の揺動を規制し、錘部４４の係合辺部４６が凸状部Ｃを乗り越えて錘部４４が該凸状部Ｃの時計方向側に隣接する次の玉受け凹部３３内に入り込む（図７（Ｄ）参照）。これにより、送りカム３５は、玉受け凹部３３を１個順送りした状態で、再度計数歯車３２の回転位置を保持する。
【００２７】
次に、係合凸部４５の作用について、振動により送りカム３５が揺動した場合の計数歯車３２の回転動作を示す図８を参照して説明する。なお、以下の説明では、パチンコ玉の通過がなく計数歯車３２の回転位置が保持された状態（図８（Ａ）に示す状態であり、以下、これを停止状態ともいう）で、係合凸部４５の下方に位置する凸状部３４を凸状部Ａといい、該凸状部Ａの時計方向側に順次隣接する凸状部３４を凸状部Ｂ，Ｃといい、凸状部Ａの反時計方向側に隣接する凸状部３４を凸状部Ｅという。先ず、図８（Ａ）に示すように、停止状態、即ち、送りカム３５の係合凸部４５が凸状部Ａの斜め上方に位置し、且つ送りカム３５の錘部４４が各凸状部Ｂ，Ｃ間の玉受け凹部３３内に入り込んだ状態で玉計数装置６に振動が加わると、図８（Ｂ）に示すように、各凸状部Ｂ，Ｃ間の玉受け凹部３３内に入り込んだ錘部４４が振動によって跳ね上がり、計数歯車３２の保持状態が解除される。そして、錘部４４の跳ね上がりが強くなると、図８（Ｃ）に示すように、支軸４２を中心とした送りカム３５の反時計方向（歯止め部４３側）への回転によって、パチンコ玉の通過に伴って既に歯止め部４３と係合した玉受け凹部３３（各凸状部Ｅ，Ａ間の玉受け凹部３３）内に再度、歯止め部４３の先端である係合凸部４５が入り込み、計数歯車３２がパンチコ玉の通過に伴う回転方向とは逆方向（時計方向）に回転させる。この場合、従来では、前述したように、歯止め部の係合凸部が玉受け凹部の最下端部分と当接した状態で、錘部が玉受け凹部間の凸状部を乗り越えて、錘部が１個前の玉受け凹部内に入り込むことで、結果として、玉受け凹部が１個分逆回転した状態で計数歯車の回転位置が保持されてしまう（図１０（Ｄ），（Ｅ）参照）。
【００２８】
これに対して、本実施形態では、振動によって送りカム３５の歯止め部４３が既に送り込みを終了した玉受け凹部３３内に再度入り込み、計数歯車３２が反時計方向に回転する場合、即ち、停止状態で凸状部Ａの上方に位置していた係合凸部４５が凸状部Ａの反時計方向側に隣接する玉受け凹部３３（各凸状部Ｅ，Ａ間の玉受け凹部３３）内に再度入り込んでしまう場合、支軸４２からの位置が遠く且つ玉受け凹部３３寄りに長く形成された寸法を有する係合凸部４５が各凸状部Ｅ，Ａ間の玉受け凹部３３の最下端部分と当接して計数歯車３２の時計方向の回転移動量を少なくする。具体的には、図８（Ｄ）に示すように、歯止め部４３の先端部分となる係合凸部４５が従来のものより支軸４２からの位置が遠く且つ玉受け凹部３３寄りに長く形成された寸法を有するため、当該係合凸部４５が玉受け凹部３３の円弧状内壁面に接触した直後に当該円弧状内壁面のほぼ中央（最下端部分）に当接する。即ち、円弧状内壁面に接触し始めてから当該円弧状内壁面のほぼ中央（最下端部分）に当接するまでの移動距離が短くなり、計数歯車３２の時計方向の回転移動量を少なくすることで、錘部４４は、停止状態で錘部４４の反時計方向側に隣接する凸状部Ｂを乗り越えないようになっている。これにより、錘部４４が１個前の玉受け凹部３３（各凸状部Ｅ，Ａ間の玉受け凹部３３）内に入り込むことを回避でき、結果として、送りカム３５は、図８（Ｅ）に示すように、揺動前の計数歯車３２の回転位置を保持した状態（錘部４４が各凸状部Ｂ，Ｃ間の玉受け凹部３３内に入り込んだ状態）に戻る。なお、ここでいう「玉受け凹部３３の円弧状内壁面に接触した直後に」の直後とは、「すぐあとに」という意味の他に、係合凸部４５が玉受け凹部３３の円弧状内壁面の最下端部分に接触するまでの距離が短くなるように設計してあるという意味があり、これにより計数歯車３２の逆方向の回転量を抑えることができる。なお、係合凸部４５の寸法としては、円弧状内壁面のほぼ中央の最下端部分に当接するものに限定せず、最下端部分の中央から前後方向に若干ずれた位置に当接するものであってもよい。また、実施形態中における係合凸部４５の寸法は、従来のものに比べて支軸４２からの位置が遠く且つ玉受け凹部３３寄りに長く形成された寸法を有しているが、必ずしもこの構成に限定するものではなく、支軸４２からの位置が遠く形成された寸法、あるいは玉受け凹部３３寄りに長く形成された寸法のいずれか一方の構成を有するものであってもよい。
【００２９】
以上のように、本実施形態の構成によれば、計数歯車３２の凸状部Ｃによる錘部４４の押し上げ以外で送りカム３５が揺動するような場合、例えば、玉受け凹部３３内に入り込んだ錘部４４が振動によって跳ね上がり、計数歯車３２の保持状態が解除され、送りカム３５の歯止め部４３が既に当該歯止め部４３と係合した玉受け凹部３３内に再度入り込むような場合、歯止め部４３の先端部分に設けられた係合凸部４５は、従来のものより支軸４２からの位置が遠く且つ玉受け凹部３３寄りに長く形成されているため、玉受け凹部３３の最下端部分と当接して計数歯車３２の時計方向の回転移動量を少なくし、錘部４４が、揺動前に入り込んでいた玉受け凹部３３間の前方の凸状部Ｂを乗り越えることを防止する。これにより、計数歯車３２の逆回転によって錘部４４が１個前の玉受け凹部３３内に入り込むことを回避でき、送りカム３５を揺動前の計数歯車３２の回転位置を保持した状態に戻すことができるので、結果として、外乱等の振動によって生じるパチンコ玉の誤計数を防止することができる。
【００３０】
また、計数歯車３２が３６０度回転する毎に回転検出手段としての回転アーム３６がこれを検出する。即ち、計数歯車３２が１回転して計数歯車３２の全周に亘って連続形成された玉受け凹部３３の個数分、パチンコ玉が玉通路３１を通過すると、これを回転検出手段としての回転アーム３６が検出し、当該回転検出手段としての回転アーム３６の検出信号を信号出力部としてのリードスイッチ３９が外部に出力する。これにより、計数歯車３２の微妙な回転角度を厳密に検出する等、回転検出手段を複雑な構成とする必要がなく、且つ正確にパチンコ玉を計数することができる。
【符号の説明】
【００３１】
１  遊技島
２  補給樋
３  分岐装置
６  玉計数装置
７  スプリングホース
８  パチンコ機
１１  賞球タンク
１２  貯留タンク
１３  玉揚送装置
１４  上部タンク
１６  回収樋
２０  賞球補給装置
３０  ケース体
３１  玉通路
３２  計数歯車
３２ａ  回転軸
３３  玉受け凹部
３４  凸状部
３５  送りカム
３６  回動アーム（回転検出手段）
３７，３８  磁石
３９  リードスイッチ（信号出力部）
４２  支軸
４３  歯止め部
４４  錘部
４５  係合凸部
４６  係合辺部
４７  係脱凹部
【図１】
0005515497.tif 000002
【図２】
0005515497.tif 000003
【図３】
0005515497.tif 000004
【図４】
0005515497.tif 000005
【図５】
0005515497.tif 000006
【図６】
0005515497.tif 000007
【図７】
0005515497.tif 000008
【図８】
0005515497.tif 000009
【図９】
0005515497.tif 000010
【図１０】
0005515497.tif 000011